(57)【要約】【課題】本発明は、電子ペン読取り専用ドットパターンとその他の図柄が正しい組み合わせで印刷されていることを確認するための印刷管理情報付き印刷物を提供することを目的とする。【解決手段】同一面に、電子ペン読取り専用のドットパターンとその他の図柄とが正しい組み合わせで印刷されるために、印刷色別に印刷管理情報が付与された印刷物であって、電子ペン読取り専用のドットパターンが印刷される版に形成された第一の印刷管理情報と、その他の図柄が印刷される版に形成された第二の印刷管理情報が、印刷物の仕上がり領域外の所定の一箇所にまとめて印刷された印刷管理情報付き印刷物を提供する。【選択図】  図１
2007313820.tif 000002
【特許請求の範囲】
【請求項１】
同一面に、電子ペン読取り専用のドットパターンとその他の図柄とが正しい組み合わせで印刷されるために、印刷色別に印刷管理情報が付与された印刷物であって、
電子ペン読取り専用のドットパターンが印刷される版に形成された第一の印刷管理情報と、その他の図柄が印刷される版に形成された第二の印刷管理情報が、印刷物の仕上がり領域外の所定の一箇所にまとめて印刷されたことを特徴とする印刷管理情報付き印刷物。
【請求項２】
請求項１に記載の印刷管理情報付き印刷物において、
電子ペン読取り専用のドットパターンが印刷される版に形成された第一の印刷管理情報には、その他の図柄が印刷される版に形成された第二の印刷管理情報が含まれ、ドットパターンとその他の図柄が印刷された状態で第一の印刷管理情報と第二の印刷管理情報は、上下又は左右に同じ情報が並ぶように形成されたことを特徴とする印刷管理情報付き印刷物。
【発明の詳細な説明】
【技術分野】
【０００１】
本発明は、印刷管理情報付き印刷物に関し、詳しくは、電子ペン読取り専用ドットパターンとその他の図柄が正しい組み合わせで印刷されていることを確認するための印刷管理情報付き印刷物に関する。
【背景技術】
【０００２】
従来、申込書、申請書などの各種書類を提出する場合、所定の印刷が施された申込用紙に申込者が筆記具で必要事項を記入して提出していたが、近年では、インターネットで取得した上述の帳票をプリントして、必要事項を記載して郵送で提出したり、表示された帳票に直接データを入力して送信して提出するなど、書類の提出方法の選択肢が広がってきている。
しかし、申込を希望する者がすべて、上述のようにインターネットで検索した帳票をプリントして使用したり、検索した帳票に画面上で直接データを入力して送信し、提出できるわけではない。その結果、役所や金融機関などでは、結局、従来から行われている紙の帳票に記載して提出させる方法を残さなければならない。
【０００３】
近年、このような対象者に対して、便利な入力システムが提供されている。それは、スウェーデンの「Ａｎｏｔｏ社」が開発した入力システムで、アノトペンと呼ばれる電子ペンと所定のドットパターンが印刷された電子ペン専用用紙によって記載した情報をその場で電子化情報とするものである。
電子ペンは、通常の筆記部と、電子ペン専用用紙の記載面に印刷されたドットパターンを読み取るための撮像部と、読み取った情報を送受信するための通信部等を搭載している。
記載者が電子ペン専用用紙の上に電子ペンで文字などを記載すると、ペンの移動に伴って電子ペンの撮像部が電子ペン専用用紙上のドットパターンを読み取り、利用者が記載した文字などの入力データを電子データとして記憶する。
記憶したデータは、前記通信ユニットにより、電子ペンから近くのパーソナルコンピュータや携帯電話などの通信端末に送信される。
電子ペンを使用する前述のシステムは、電子ペンがキーボードの役割を果たすのであるが、記載者は、従来どおりの感覚で申し込み等を行うことができる。
【０００４】
前記「Ａｎｏｔｏ社」のシステムでは、ドットパターンが印刷された電子ペン専用用紙が使用されるが、前記ドットパターンは分野別に割り当てられて使用される。
また、ドットパターンは微細な形状で使用されるため、印刷された後でそのパターンが割り当てられた正しいものか否か判断することは極めて難しい。
ドットパターンが誤って印刷された電子ペン専用用紙を使用すると、記入情報が正しくデータ化できないためにシステムが使用できなくなる。
【０００５】
印刷物を管理する技術として、「印刷見当マークおよび印刷見当ずれ検出装置」が提供されている（例えば、特許文献１参照）。
特許文献１によれば、ｎを正の整数として、ｎ色の重ね刷り印刷（多色印刷）における印刷見当マークであって、ｎ色の内の１色を基準色とし、その基準色の印刷見当マークを印刷物における（ｎ−１）個所の所定の位置に配置し、他の（ｎ−１）色の印刷見当マークのそれぞれを前記基準色の印刷見当マークのそれぞれに対応させてその近傍に配置する印刷見当マークを提供するとしている。
【０００６】
【特許文献１】特開２００２−１３７３６８号公報
【発明の開示】
【発明が解決しようとする課題】
【０００７】
特許文献１で開示されている技術は、多色印刷時の刷り合わせ精度の向上を主たる目的とするものであり、電子ペン読取り専用ドットパターンとその他の図柄が正しい組み合わせで印刷されていることを確認するための技術ではない。
【０００８】
そこで本発明は、電子ペン読取り専用ドットパターンとその他の図柄が正しい組み合わせで印刷されていることを確認するための印刷管理情報付き印刷物を提供することを目的とする。
【課題を解決するための手段】
【０００９】
前記課題を解決するために、本発明の印刷管理情報付き印刷物の第一の態様は、同一面に、電子ペン読取り専用のドットパターンとその他の図柄とが正しい組み合わせで印刷されるために、印刷色別に印刷管理情報が付与された印刷物であって、電子ペン読取り専用のドットパターンが印刷される版に形成された第一の印刷管理情報と、その他の図柄が印刷される版に形成された第二の印刷管理情報が、印刷物の仕上がり領域外の所定の一箇所にまとめて印刷されたことを特徴とするものである。
【００１０】
また、第二の態様は、第一の態様において、電子ペン読取り専用のドットパターンが印刷される版に形成された第一の印刷管理情報には、その他の図柄が印刷される版に形成された第二の印刷管理情報が含まれ、ドットパターンとその他の図柄が印刷された状態で第一の印刷管理情報と第二の印刷管理情報は、上下又は左右に同じ情報が並ぶように形成されたことを特徴とするものである。
【発明の効果】
【００１１】
１）本発明の印刷管理情報付き印刷物の第一の態様のように、同一面に、電子ペン読取り専用のドットパターンとその他の図柄とが正しい組み合わせで印刷されるために、印刷色別に印刷管理情報が付与された印刷物であって、電子ペン読取り専用のドットパターンが印刷される版に形成された第一の印刷管理情報と、その他の図柄が印刷される版に形成された第二の印刷管理情報が、印刷物の仕上がり領域外の所定の一箇所にまとめて印刷されたことによって、刷り出し時点で、ドットパターンとその他の図柄が正しい組み合わせで印刷されているか一目瞭然で判別することができる。
２）また、第二の態様のように、第一の態様において、電子ペン読取り専用のドットパターンが印刷される版に形成された第一の印刷管理情報には、その他の図柄が印刷される版に形成された第二の印刷管理情報が含まれ、ドットパターンとその他の図柄が印刷された状態で第一の印刷管理情報と第二の印刷管理情報は、上下又は左右に同じ情報が並ぶように形成されたことによって、刷り出し時点で、ドットパターンとその他の図柄が正しい組み合わせで印刷されているか一目瞭然で判別することができるとともに、複数のドットパターン版が存在しても、ドットパターン版に形成された第一の印刷管理情報を参照してその他絵柄版を正しく選別することができ、効率的に準備を進めることができる。
【発明を実施するための最良の形態】
【００１２】
以下、図面を参照して、本発明の印刷管理情報付き印刷物について説明する。
図１は、電子ペンと本発明の印刷管理情報付き印刷物の一例について説明するための図，図２は、本発明の印刷管理情報付き印刷物に使用される印刷管理情報の一例について説明するための図，図３は、本発明の印刷管理情報付き印刷物に使用される印刷管理情報の他の一例について説明するための図，図４は、ドットパターン上に印刷図柄の一つを重ね刷りした一例について説明するための図，図５は、電子ペンの一例について説明するための図，図６は、電子ペン読み取り専用のドットパターンについて説明するための図，である。
【００１３】
図１を参照して、電子ペンと本発明の印刷管理情報付き印刷物の一例について説明する。
印刷管理情報付き印刷物１の電子ペン２で記載される面に、記載場所の座標情報を提供するドットパターン１１が印刷されている。
さらに、ドットパターン１１と同一面に、送信情報を記載するための送信情報記載欄１２、送信情報を送信するための送信ボックス１３を表す図柄が印刷（形成）されている。
送信ボックス１３は、電子ペン２と通信端末（図示せず）の接続方式によって、「Ｂｌｕｅｔｏｏｔｈ（Ｔｈｅ  Ｂｌｕｅｔｏｏｔｈ  ＳＩＧ，Ｉｎｃ．の登録商標）」用と、「ＵＳＢ」用の二種類印刷されることもある。
【００１４】
印刷管理情報付き印刷物１には、ドットパターン１１を背景に、印刷図柄１５を構成する「印刷図柄Ａ」，「印刷図柄Ｂ」，「印刷図柄Ｃ」がそれぞれ異なるインキで印刷されている。
図に示す印刷管理情報付き印刷物１の右下には、印刷管理情報１４が一箇所に集約されて印刷されている。
印刷管理情報付き印刷物のドットパターン及び３種類の図柄の印刷が完了すると、印刷管理情報付き印刷物は、仕上がりライン１６で断ち切られ、印刷管理情報１４が切り落とされた状態で最終印刷物となる。
図では、仕上がりライン１６が点線で表示されているが、実際には、仕上がりライン１６は印刷されず、切り落とされる仕上がりラインの外側に引き出し線が印刷されて使用されることが多い。
【００１５】
図に示す印刷管理情報付き印刷物１の例では、ドットパターン１１の印刷版に「申込書」の文字が組み込まれ、一緒に印刷される。
これは、ドットパターン１１が、使用品目「申込書」という「利用分野」で使用されていることを明確にするためで、他の版で印刷されるよりドットパターン版で印刷されるほうが明確で都合がよいからである。
更に、印刷管理情報１４として、「上段の第一の印刷管理情報ＡＢＣＤ、および、下段の第ニの印刷管理情報Ｄ」が一緒に組み込まれ、印刷される。
【００１６】
図に示す印刷管理情報付き印刷物１の例では、印刷図柄１５を構成する「印刷図柄Ａ」の印刷版に、「印刷図柄Ａ」と、印刷管理情報１４の下段に印刷される、第二の印刷管理情報「Ａ」が組み込まれ、印刷される。
また、印刷図柄１５を構成する「印刷図柄Ｂ」の印刷版には、「印刷図柄Ｂ」と、送信情報記載欄１２の送信情報を記載するための「ガイド枠」と、送信ボックス１３の図柄が組み込まれ、更に、印刷管理情報１４の下段に印刷される第二の印刷管理情報として、「Ｂ」が組み込まれ、印刷される。
また、印刷図柄１５を構成する「印刷図柄Ｃ」の印刷版には、「印刷図柄Ｃ」と、印刷管理情報１４の下段に印刷される第二の印刷管理情報「Ｂ」が組み込まれ、印刷される。
【００１７】
ここで、図１を一部参照して、電子ペンと電子ペン読取り専用ドットパターンを使用する「Ａｎｏｔｏ社」のシステムについて説明する。
電子ペン２は、通常の筆記部（図示せず）と、送信情報記載欄１２に印刷されたドットパターン１１を読み取るための撮像部（図示せず）と、通信部（図示せず）等を搭載している。
電子ペン２は、記載者が印刷管理情報付き印刷物１の送信情報記載欄１２に電子ペン２で文字などを記載すると、ペンの移動に伴って電子ペン２に内蔵された撮像部が、ドットパターン１１によって表示された座標情報を読み取り、通信部が、接続された通信端末（図示せず）に読み取った座標情報を送信する。
通信端末は、受信した前記座標情報をネットワークに接続された電子ペンシステム管理サーバ（図示せず）に送信する。
電子ペンシステム管理サーバは、受信した座標情報をテキストデータに変換し、利用者側のサーバ（図示せず）や、前記通信端末に返信する。
通信端末内に電子ペンシステム管理サーバ機能が内蔵されている場合は、前記座標情報は電子ペンシステム管理サーバ機能によってテキストデータに変換される。
【００１８】
図５を参照して、電子ペン２について説明する。
電子ペン２は、インクカートリッジ２０８を伴った筆記部２０６，ドットパターンを読み取るデジタルカメラによる撮像部２０５，デジタルカメラで読み取られた筆記情報（ドットパターンの座標情報）を記憶する記憶部２０３，携帯通信端末に座標情報を送信する通信部２０２，これらの機能を制御する制御部２０４，電子ペン用の圧力センサ２０７，図示しないが電源部，で構成され、これらを電子ペン２の筐体２０１の内部に搭載している。
電子ペン２は、電子ペン専用用紙に印刷されたドットパターン情報を撮像部２０５で読み取って記憶部２０３で記憶し、図示しないが、電子ペンのユニークな識別情報などと共に通信部２０２から接続された通信端末に送信する。
通信部２０２は、ＵＳＢ（Ｕｎｉｖｅｒｓａｌ  Ｓｅｒｉａｌ  Ｂｕｓ）対応、または、Ｂｌｕｅｔｏｏｔｈ対応となっている。
また、電子ペン２の筐体２０１に組み込まれた筆記部２０６は、単なる筆記具として使用することもできるようになっている。
【００１９】
筆記部２０６は、筆記情報を可視状態で記載部に残す役割の他に、デジタルカメラによる撮像部２０５と、ドットパターン印刷面との距離を一定にする役割を担っている。
筆記部２０６が電子ペン筐体２０１に装着されたときに、インクカートリッジ２０８側の先端が、電子ペンの筐体２０１に取り付けられた電子ペン用の圧力センサ２０７に接触するようになっている。
この圧力センサ２０７は、情報の記載が開始されることを制御部２０４に伝える機能と、筆圧の強弱を認識する機能を備えている。
また、インクカートリッジ２０８の残量を確認する場合、または、インクを充填する場合は、例えば、筆記部２０６を電子ペン筐体２０１の先端から引き抜いてインクの残量確認、または、インクの充填を行う。
【００２０】
図５を参照して、電子ペン読取り専用ドットパターンについて説明する。図に示す縦横の仮想線は、説明し易くするために記載しており、実際には印刷されていない。
電子ペン読み取り専用のドットパターン１１０の各ドットは、０．３ｍｍ間隔で形成された直角に交わる縦横の仮想線の交点近傍に、それぞれ異なる４方向の何れかに配置され、形成されている。
「Ａｎｏｔｏ社」のシステムでは、３６個のドット（約４ｍｍ2の内側に印刷されたドット群）を１単位情報として扱っている。
【００２１】
電子ペンで、電子ペン専用用紙上に文字等を記載すると、ペン先がどの位置をなぞっているか、その近傍に印刷されたドットパターンの座標情報を読み取って、ペン先が移動した単位情報の軌跡を電子ペンの記憶部に記憶するようになっている。
電子ペン専用用紙の所定部を電子ペンでマークをすると、電子ペン専用用紙に記載した前記座標情報を電子ペンから通信端末の送信するようになっている。
「Ａｎｏｔｏ社」のシステムでは、一つの利用分野で同一のドットパターンが利用されないように管理される。
【００２２】
次に、前述の電子ペンシステム管理サーバ（図示せず）について説明する。
電子ペンシステム管理サーバは、多くの場合、ＰＬＳサーバと、ＡＳＨサーバに分けられて使用される。
通信端末から送信された座標情報は、まず、ＰＬＳ（Ｐａｐｅｒ  Ｌｏｏｋ−ｕｐ  Ｓｅｒｖｉｃｅ）と呼ばれる電子ペンシステム管理サーバに送信される。
ＰＬＳサーバは、受信したドットパターンの座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）と座標情報を通信端末に送信する。
電子ペンシステム管理サーバ機能は、通信端末内に組み込まれて使用されることもある。
【００２３】
次に、前述の通信端末（図示せず）について説明する。
通信端末は、例えば、キーボードなどの入力手段，インターネットに接続されて入力情報を送受信する送受信手段，ディスプレイなどの表示手段，入力情報や読み込んだ情報を保存する保存手段とを有する携帯電話，ＰＤＡ（Ｐｅｒｓｏｎａｌ  Ｄｉｇｉｔａｌ  Ａｓｓｉｓｔａｎｃｅ），パーソナルコンピュータのような装置である。
通信端末は、前述のように、電子ペン２から送信された情報を電子ペンシステム管理サーバに送信し、テキストデータなどに変換された情報として受信し、利用する。
【００２４】
図２を参照して、本発明の印刷管理情報付き印刷物に使用される印刷管理情報の一例について説明する。
印刷管理情報１４の上段に、第一の印刷管理情報１４０（説明し易いように便宜的に破線で囲んで表示している）が、ドットパターン印刷色で「ＡＢＣＤ」と印刷される。
図２の例では、ドットパターン版の印刷管理情報を「Ｄ」としているために、第二の印刷管理情報「Ｄ」１４４を第一の印刷管理情報１４０の中に組み込んで、一緒に印刷している。
印刷管理情報１４の下段の、第一の印刷管理情報１４０の「Ａ」の真下に相当する位置に、第二の印刷管理情報１４１が、「印刷図柄Ａ」の印刷色で「Ａ」と印刷される。
また、第一の印刷管理情報１４０の「Ｂ」の真下に相当する位置に、第二の印刷管理情報１４２が、「印刷図柄Ｂ」の印刷色で「Ｂ」と印刷される。
更に、第一の印刷管理情報１４０の、「Ｃ」の真下に相当する位置に、第二の印刷管理情報１４３が、「印刷図柄Ｃ」の印刷色で「Ｃ」と印刷される。
【００２５】
図３を参照して、本発明の印刷管理情報付き印刷物に使用される印刷管理情報の他の一例について説明する。
印刷管理情報１４の上段と一部下段に、第一の印刷管理情報１４００（説明し易いように便宜的に破線で囲んで表示している）が、ドットパターン印刷色で「１２３４  １２３４  １２３４  １２３４  」印刷される。図２の例と同様、ドットパターン版の印刷管理情報を「１２３４」としているために、第二の印刷管理情報「１２３４」を第一の印刷管理情報１４００の右下に組み込んで同一色で印刷している。
この、「１２３４」は、印刷物の管理コードで、ドットパターンの管理番号でもある。
更に、印刷管理情報１４の下段の、第一の印刷管理情報１４００の「１２３４」の真下に相当する位置に第二の印刷管理情報１４１０が、「印刷図柄Ａ」の印刷色で「１２３４」と印刷される。
更に、第一の印刷管理情報１４００の、「１２３４」の真下に相当する位置に、第二の印刷管理情報１４２０が、「印刷図柄Ｂ」の印刷色で「１２３４」と印刷される。
更に、第一の印刷管理情報１４００の、「１２３４」の真下に相当する位置に、第二の印刷管理情報１４３０が、「印刷図柄Ｃ」の印刷色で「１２３４」と印刷される。
【００２６】
図４を参照して、ドットパターン上に、印刷図柄の一つを重ね刷りした一例について説明する。
図４に示す印刷管理情報付き印刷物１の例は、ドットパターン上に、印刷図柄の一つである「印刷図柄Ｂ」を重ね刷りした一例である。
印刷図柄を構成する「印刷図柄Ｂ」の印刷版に、ドットパターン以外の印刷図柄１５２と、送信情報記載欄１２の「ガイド枠」と、送信ボックス１３の図柄が組み込まれ、ドットパターン１１上に印刷されている。
更に、「印刷図柄Ｂ」の印刷版に第二の印刷管理情報「Ｂ」１４２が組み込まれ、印刷管理情報１４の第一の印刷管理情報「Ｂ」１４０の真下に印刷されている。
第一の印刷管理情報「ＡＢＣＤ」１４０の「Ｄ」真下には、第二の印刷管理情報として「Ｄ」１４４が印刷されている。
これは、前述のようにドットパターン印刷版の印刷管理情報を「Ｄ」としているため、「申込書」の文字と同様、ドットパターン印刷の際に、第一の印刷管理情報「ＡＢＣＤ」と一緒に印刷される。
【産業上の利用可能性】
【００２７】
電子ペン読取り専用ドットパターンとその他の図柄が正しい組み合わせで印刷されていることを確認するための印刷管理情報付き印刷物に利用できる。
【図面の簡単な説明】
【００２８】
【図１】電子ペンと本発明の印刷管理情報付き印刷物の一例について説明するための図である。
【図２】本発明の印刷管理情報付き印刷物に使用される印刷管理情報の一例について説明するための図である。
【図３】本発明の印刷管理情報付き印刷物に使用される印刷管理情報の他の一例について説明するための図である。
【図４】ドットパターン上に、印刷図柄の一つを重ね刷りした一例について説明するための図である。
【図５】電子ペンの一例について説明するための図である。
【図６】電子ペン読み取り専用のドットパターンについて説明するための図である。
【符号の説明】
【００２９】
１      印刷管理情報付き印刷物
２      電子ペン
１１，１１０  ドットパターン
１２    送信情報
１３    送信ボックス
１４    印刷管理情報
１５，１５２  ドットパターン以外の印刷図柄
１６    仕上がりライン
１４０，１４００  第一の印刷管理情報
１４１，１４２，１４３，１４４，１４１０，１４２０，１４３０  第二の印刷管理情報
２０１  筐体
２０２  通信部
２０３  記憶部
２０４  制御部
２０５  撮像部
２０６  筆記部
２０７  圧力センサ
２０８  インクカートリッジ
【図１】
2007313820.tif 000003
【図２】
2007313820.tif 000004
【図３】
2007313820.tif 000005
【図４】
2007313820.tif 000006
【図５】
2007313820.tif 000007
【図６】
2007313820.tif 000008